【手続補正書】
【提出日】平成25年8月8日(2013.8.8)
【手続補正１】
【補正対象書類名】特許請求の範囲
【補正対象項目名】全文
【補正方法】変更
【補正の内容】
【特許請求の範囲】
【請求項１】
被写体を透過したＸ線を検出する第一のＸ線検出器および該第一のＸ線検出器より視野が小さい第二のＸ線検出器を用いてそれぞれ得られた第一の画像および第二の画像を表示するＸ線装置であって、
前記第一の画像上で第二の画像の領域の指定を受け付ける第二画像領域指定受付手段と、
前記第二画像領域指定受付手段により受け付けられた第二の画像の領域に対応する位置に第二のＸ線検出器を移動する第二Ｘ線検出器移動手段と、
前記第二Ｘ線検出器移動手段により移動された第二のＸ線検出器を用いて得られた第二の画像を、前記第二画像領域指定受付手段により前記第一の画像上で指定された前記領域にオーバーラップして表示する画像表示手段と
を備え、
前記第一の画像は、前記第一の検出器によるリアルタイム画像である
ことを特徴とするＸ線装置。
【請求項２】
前記第二の画像は、前記第二の検出器による１ショット画像である
ことを特徴とする請求項１に記載のＸ線装置。
【請求項３】
前記画像表示手段は、前記第二の画像を拡大した拡大画像を、前記領域にオーバーラップして表示する
ことを特徴とする請求項１又は２に記載のＸ線装置。
【請求項４】
前記第二の画像は、前記第二の検出器によるリアルタイム画像である
ことを特徴とする請求項１又は２に記載のＸ線装置。
【請求項５】
被写体を透過したＸ線を検出する第一のＸ線検出器および該第一のＸ線検出器より視野が小さい第二のＸ線検出器を用いてそれぞれ得られた第一の画像および第二の画像を表示するＸ線装置であって、
前記第一の画像上で第二の画像の領域の指定を受け付ける第二画像領域指定受付手段と、
前記第二画像領域指定受付手段により受け付けられた第二の画像の領域に対応する位置に第二のＸ線検出器を移動する第二Ｘ線検出器移動手段と、
前記第二Ｘ線検出器移動手段により移動された第二のＸ線検出器を用いて得られた第二の画像を、前記第二画像領域指定受付手段により前記第一の画像上で指定された前記領域にオーバーラップして表示する画像表示手段と
を備え、
前記第一の画像は、前記第二の検出器が移動する直前の画像である
ことを特徴とするＸ線装置。
【請求項６】
前記画像表示手段は、前記第二の画像を拡大した拡大画像を、前記領域にオーバーラップして表示する
ことを特徴とする請求項５に記載のＸ線装置。
【請求項７】
前記第二の画像は、前記第二の検出器による１ショット画像である
ことを特徴とする請求項５又は６に記載のＸ線装置。
【請求項８】
前記第二の画像は、前記第二の検出器によるリアルタイム画像である
ことを特徴とする請求項５又は６に記載のＸ線装置。
【請求項９】
前記画像表示手段は、第一のＸ線検出器と第二のＸ線検出器の感度が異なる場合に、第二の画像に対して第二のＸ線検出器の感度に基づいて第一の画像の階調変換とは異なる階調変換を行って表示することを特徴とする請求項１乃至８のいずれか一項に記載のＸ線装置。
【請求項１０】
第二のＸ線検出器は、第一のＸ線検出器より解像度が高いことを特徴とする請求項１乃至９のいずれか一項に記載のＸ線装置。
【請求項１１】
被写体を透過したＸ線を検出する第一のＸ線検出器および該第一のＸ線検出器より視野が小さい第二のＸ線検出器を用いてそれぞれ得られた第一の画像および第二の画像を表示するＸ線装置によるＸ線画像表示方法であって、
前記第一の画像上で第二の画像の領域の指定を受け付ける第二画像領域指定受付ステップと、
前記第二画像領域指定受付ステップにより受け付けられた第二の画像の領域に対応する位置に第二のＸ線検出器を移動する第二Ｘ線検出器移動ステップと、
前記第二Ｘ線検出器移動ステップにより移動された第二のＸ線検出器を用いて得られた第二の画像を、前記第二画像領域指定受付ステップにより前記第一の画像上で指定された前記領域にオーバーラップして表示する画像表示ステップと
を含み、
前記第一の画像は、前記第一の検出器によるリアルタイム画像であり、
前記第二の画像は、前記第二の検出器によるリアルタイム画像である
ことを特徴とするＸ線画像表示方法。
【手続補正２】
【補正対象書類名】明細書
【補正対象項目名】発明の名称
【補正方法】変更
【補正の内容】
【発明の名称】Ｘ線装置およびＸ線画像表示方法
【手続補正３】
【補正対象書類名】明細書
【補正対象項目名】０００１
【補正方法】変更
【補正の内容】
【０００１】
この発明は、被写体を透過したＸ線を検出する第一のＸ線検出器および第一のＸ線検出器より視野が小さい第二のＸ線検出器を備えたＸ線装置の技術に関する。
【手続補正４】
【補正対象書類名】明細書
【補正対象項目名】００１０
【補正方法】変更
【補正の内容】
【００１０】
この発明は、上述した従来技術による問題点を解消するためになされたものであり、術者が二つのＸ線検出器を用いて病変部などの詳細な観察を効率良く行うことを可能とするＸ線装置およびＸ線画像表示方法を提供することを目的とする。
【手続補正５】
【補正対象書類名】明細書
【補正対象項目名】００１１
【補正方法】変更
【補正の内容】
【００１１】
上述した課題を解決し、目的を達成するため、本発明は、被写体を透過したＸ線を検出する第一のＸ線検出器および該第一のＸ線検出器より視野が小さい第二のＸ線検出器を用いてそれぞれ得られた第一の画像および第二の画像を表示するＸ線装置であって、前記第一の画像上で第二の画像の領域の指定を受け付ける第二画像領域指定受付手段と、前記第二画像領域指定受付手段により受け付けられた第二の画像の領域に対応する位置に第二のＸ線検出器を移動する第二Ｘ線検出器移動手段と、前記第二Ｘ線検出器移動手段により移動された第二のＸ線検出器を用いて得られた第二の画像を、前記第二画像領域指定受付手段により前記第一の画像上で指定された前記領域にオーバーラップして表示する画像表示手段とを備え、前記第一の画像は、前記第一の検出器によるリアルタイム画像であることを特徴とする。
【手続補正６】
【補正対象書類名】明細書
【補正対象項目名】００１２
【補正方法】変更
【補正の内容】
【００１２】
また、本発明は、被写体を透過したＸ線を検出する第一のＸ線検出器および該第一のＸ線検出器より視野が小さい第二のＸ線検出器を用いてそれぞれ得られた第一の画像および第二の画像を表示するＸ線装置であって、前記第一の画像上で第二の画像の領域の指定を受け付ける第二画像領域指定受付手段と、前記第二画像領域指定受付手段により受け付けられた第二の画像の領域に対応する位置に第二のＸ線検出器を移動する第二Ｘ線検出器移動手段と、前記第二Ｘ線検出器移動手段により移動された第二のＸ線検出器を用いて得られた第二の画像を、前記第二画像領域指定受付手段により前記第一の画像上で指定された前記領域にオーバーラップして表示する画像表示手段とを備え、前記第一の画像は、前記第二の検出器が移動する直前の画像であることを特徴とする。
【手続補正７】
【補正対象書類名】明細書
【補正対象項目名】００１３
【補正方法】変更
【補正の内容】
【００１３】
また、本発明は、被写体を透過したＸ線を検出する第一のＸ線検出器および該第一のＸ線検出器より視野が小さい第二のＸ線検出器を用いてそれぞれ得られた第一の画像および第二の画像を表示するＸ線装置によるＸ線画像表示方法であって、前記第一の画像上で第二の画像の領域の指定を受け付ける第二画像領域指定受付ステップと、前記第二画像領域指定受付ステップにより受け付けられた第二の画像の領域に対応する位置に第二のＸ線検出器を移動する第二Ｘ線検出器移動ステップと、前記第二Ｘ線検出器移動ステップにより移動された第二のＸ線検出器を用いて得られた第二の画像を、前記第二画像領域指定受付ステップにより前記第一の画像上で指定された前記領域にオーバーラップして表示する画像表示ステップとを含み、前記第一の画像は、前記第一の検出器によるリアルタイム画像であり、前記第二の画像は、前記第二の検出器によるリアルタイム画像であることを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１８
【補正方法】変更
【補正の内容】
【００１８】
以下に添付図面を参照して、この発明に係るＸ線装置およびＸ線画像表示方法の好適な実施例を詳細に説明する。